【手続補正書】
【提出日】平成16年2月4日(2004.2.4)
【手続補正１】
【補正対象書類名】明細書
【補正対象項目名】特許請求の範囲
【補正方法】変更
【補正の内容】
【特許請求の範囲】
【請求項１】
磁路構成部材および起磁力発生部材を主に構成される固定子と、固定子の一部が構成する第１の固定子構成部材および第１の固定子構成部材に所定の距離を隔て相対して配置される固定子の他の一部が構成する第２の固定子構成部材の、それぞれの相対面が構成する空間内を自由に移動し得る構造を成す第１の巻線を主に構成される可動子と、前記空間の可動子移動範囲の中央部から一方の端部までの範囲を構成する第１の固定子構成部材に巻装される第２の巻線と、前記空間の可動子移動範囲の中央部から他方の端部までの範囲を構成する第１の固定子構成部材に巻装される第３の巻線とにより成る単極形リニア直流モータにおいて、
第２の巻線の長さおよび第３の巻線の長さを、それぞれ第１の巻線の長さに等しくすることを特徴とする単極形リニア直流モータ。
【請求項２】
磁路構成部材および起磁力発生部材を主に構成される固定子と、固定子の一部が構成する第１の固定子構成部材および第１の固定子構成部材に所定の距離を隔て相対して配置される固定子の他の一部が構成する第２の固定子構成部材の、それぞれの相対面が構成する空間内を自由に移動し得る構造を成す第１の巻線を主に構成される可動子と、前記空間の可動子移動範囲を構成する第１の固定子構成部材に巻装される第２の巻線、第３の巻線および第４の巻線とにより成る単極形リニア直流モータにおいて、
第２の巻線の長さ、第３の巻線の長さおよび第４の巻線の長さを、それぞれ第１の巻線の長さに等しくすることを特徴とする単極形リニア直流モータ。
【請求項３】
第２の巻線および第３の巻線を、第１の巻線の長さと等しい長さを有する複数の巻線により、それぞれ構成することを特徴とする請求項１の単極形リニア直流モータ。
【請求項４】
第２の巻線、第３の巻線および第４の巻線を、第１の巻線の長さと等しい長さを有する複数の巻線により、それぞれ構成することを特徴とする請求項２の単極形リニア直流モータ。
【手続補正２】
【補正対象書類名】明細書
【補正対象項目名】０００６
【補正方法】変更
【補正の内容】
【０００６】
可動子を構成する巻線の起磁力の増加は、巻線の巻数の増加あるいは巻線に流れる電流の増加により可能に成る。しかし、巻線の巻数の増加は、巻数の増加に伴い可動子が大型化および大重量化し、可動子の大型化に伴いストロークが減少し、可動子の大重量化に伴い応答性が悪化する。巻線に流れる電流の増加は、電流の増加に伴い巻線の周囲に発生する磁界の傾斜が大きく成り、固定子の構成部材が構成する空間内に形成される磁界の分布に傾斜を与え、可動子の移動に伴い空間内の磁界が減少し、可動子の全ストロークに対する推力変動が大きく成る。


【手続補正３】
【補正対象書類名】明細書
【補正対象項目名】０００７
【補正方法】変更
【補正の内容】
【０００７】
一般に、従来の単極形リニア直流モータのロング・ストローク化は、ストロークの増加に伴い漏洩磁束が増加し、漏洩磁束の増加に伴い推力が減少し、固定子が大型化、大重量化および高価格化する。


【手続補正４】
【補正対象書類名】明細書
【補正対象項目名】００１８
【補正方法】変更
【補正の内容】
【００１８】
【発明が解決しようとする課題】
解決しようとする問題点は、単極形リニア直流モータの推力変動の減少、大推力化、ロング・ストローク化、小型軽量化および低価格化を伴う推力のリニア領域（推力変動のない領域）の拡大が困難な点である。


【手続補正５】
【補正対象書類名】明細書
【補正対象項目名】００３１
【補正方法】変更
【補正の内容】
【００３１】
第２の巻線３１は、第２の巻線３１（１）ないし第２の巻線３１（ｎ）により構成され、第３の巻線３２は、第３の巻線３２（１）ないし第３の巻線３２（ｎ）により構成される。第２の巻線３１（１）ないし第２の巻線３１（ｎ）のそれぞれの長さ（Ｌ）と、第３の巻線３２（１）ないし第３の巻線３２（ｎ）のそれぞれの長さ（Ｌ）とは、それぞれ第１の巻線１２の長さ（Ｌ）に等しく構成される。


【手続補正６】
【補正対象書類名】明細書
【補正対象項目名】００３２
【補正方法】変更
【補正の内容】
【００３２】
可動子１１は、第１の巻線１２と、第２の巻線３１（１）ないし第２の巻線３１（ｎ）と、第３の巻線３２（１）ないし第３の巻線３２（ｎ）とに図示の方向にそれぞれ所定の電流を流すことにより、所定の推力をもって矢印Ａ方向に移動し、第１の巻線１２と、第２の巻線３１（１）ないし第２の巻線３１（ｎ）と、第３の巻線３２（１）ないし第３の巻線３２（ｎ）とに図示と異なる方向にそれぞれ所定の電流を流すことにより、所定の推力をもって矢印Ｂ方向に移動する。


【手続補正７】
【補正対象書類名】明細書
【補正対象項目名】００３３
【補正方法】変更
【補正の内容】
【００３３】
尚、第２の巻線３１を構成する第２の巻線３１（１）ないし第２の巻線３１（ｎ）は、それぞれ並列に接続され、第３の巻線３２を構成する第３の巻線３２（１）ないし第３の巻線３２（ｎ）は、それぞれ並列に接続される。更に、第２の巻線３１および第３の巻線３２は並列に接続される。


【手続補正８】
【補正対象書類名】明細書
【補正対象項目名】００４４
【補正方法】変更
【補正の内容】
【００４４】
第２の巻線３１は、第２の巻線３１（１）ないし第２の巻線３１（ｎ）により構成され、第３の巻線３２は、第３の巻線３２（１）ないし第３の巻線３２（ｎ）により構成され、第４の巻線３３は、第４の巻線３３（１）ないし第４の巻線３３（ｎ）により構成される。第２の巻線３１（１）ないし第２の巻線３１（ｎ）のそれぞれの長さ（Ｌ）と、第３の巻線３２（１）ないし第３の巻線３２（ｎ）のそれぞれの長さ（Ｌ）と、第４の巻線３３（１）ないし第４の巻線３３（ｎ）のそれぞれの長さ（Ｌ）とは、それぞれ第１の巻線１２の長さ（Ｌ）に等しく構成される。


【手続補正９】
【補正対象書類名】明細書
【補正対象項目名】００４５
【補正方法】変更
【補正の内容】
【００４５】
可動子１１は、第１の巻線１２と、第２の巻線３１（１）ないし第２の巻線３１（ｎ）と、第３の巻線３２（１）ないし第３の巻線３２（ｎ）と、第４の巻線３３（１）ないし第４の巻線３３（ｎ）とに図示の方向にそれぞれ所定の電流を流すことにより、所定の推力をもって矢印Ａ方向に移動し、第１の巻線１２と、第２の巻線３１（１）ないし第２の巻線３１（ｎ）と、第３の巻線３２（１）ないし第３の巻線３２（ｎ）と、第４の巻線３３（１）ないし第４の巻線３３（ｎ）とに図示と異なる方向にそれぞれ所定の電流を流すことにより、所定の推力をもって矢印Ｂ方向に移動する。


【手続補正１０】
【補正対象書類名】明細書
【補正対象項目名】００４６
【補正方法】変更
【補正の内容】
【００４６】
尚、第２の巻線３１を構成する第２の巻線３１（１）ないし第２の巻線３１（ｎ）は、それぞれ並列に接続され、第３の巻線３２を構成する第３の巻線３２（１）ないし第３の巻線３２（ｎ）は、それぞれ並列に接続され、第４の巻線３３を構成する第４の巻線３３（１）ないし第４の巻線３３（ｎ）は、それぞれ並列に接続される。更に、第２の巻線３１、第３の巻線３２および第４の巻線３３は並列に接続される。


【手続補正１１】
【補正対象書類名】明細書
【補正対象項目名】００５９
【補正方法】変更
【補正の内容】
【００５９】【１１】図８・固定子巻線
第２の巻線３１は、第２の巻線３１（１）および第２の巻線３１（２）により構成され、第３の巻線３２は、第３の巻線３２（１）および第３の巻線３２（２）により構成される。第２の巻線３１（１）および第２の巻線３１（２）のそれぞれの長さ（Ｌ）と、第３の巻線３２（１）および第３の巻線３２（２）のそれぞれの長さ（Ｌ）とは、それぞれ第１の巻線１２の長さ（Ｌ）に等しく構成される。


【手続補正１２】
【補正対象書類名】明細書
【補正対象項目名】００６１
【補正方法】変更
【補正の内容】
【００６１】
可動子１１は、第１の巻線１２と、第２の巻線３１（１）および第２の巻線３１（２）と、第３の巻線３２（１）および第３の巻線３２（２）とに図示の方向にそれぞれ所定の電流を流すことにより、所定の推力をもって矢印Ａ方向に移動し、第１の巻線１２と、第２の巻線３１（１）および第２の巻線３１（２）と、第３の巻線３２（１）および第３の巻線３２（２）とに図示と異なる方向にそれぞれ所定の電流を流すことにより、所定の推力をもって矢印Ｂ方向に移動する。


【手続補正１３】
【補正対象書類名】明細書
【補正対象項目名】００６２
【補正方法】変更
【補正の内容】
【００６２】
尚、第２の巻線３１を構成する第２の巻線３１（１）および第２の巻線３１（２）は並列に接続され、第３の巻線３２を構成する第３の巻線３２（１）および第３の巻線３２（２）は並列に接続される。更に、第２の巻線３１および第３の巻線３２は並列に接続される。


【手続補正１４】
【補正対象書類名】明細書
【補正対象項目名】００６８
【補正方法】変更
【補正の内容】
【００６８】
第２の巻線３１は、第２の巻線３１（１）および第２の巻線３１（２）により構成され、第３の巻線３２は、第３の巻線３２（１）および第３の巻線３２（２）により構成される。第２の巻線３１（１）および第２の巻線３１（２）のそれぞれの長さ（Ｌ）と、第３の巻線３２（１）および第３の巻線３２（２）のそれぞれの長さ（Ｌ）とは、それぞれ第１の巻線１２の長さ（Ｌ）に等しく構成される。


【手続補正１５】
【補正対象書類名】明細書
【補正対象項目名】００７０
【補正方法】変更
【補正の内容】
【００７０】
可動子１１は、第１の巻線１２と、第２の巻線３１（１）および第２の巻線３１（２）と、第３の巻線３２（１）および第３の巻線３２（２）とに図示の方向にそれぞれ所定の電流を流すことにより、所定の推力をもって矢印Ａ方向に移動し、第１の巻線１２と、第２の巻線３１（１）および第２の巻線３１（２）と、第３の巻線３２（１）および第３の巻線３２（２）とに図示と異なる方向にそれぞれ所定の電流を流すことにより、所定の推力をもって矢印Ｂ方向に移動する。通常、可動子１１に作用する推力は、可動子１１が全ストローク移動し得る構造を成す第２のヨーク５の側面に設けられた開口を介して外部に伝達される。


【手続補正１６】
【補正対象書類名】明細書
【補正対象項目名】００７１
【補正方法】変更
【補正の内容】
【００７１】
尚、第２の巻線３１を構成する第２の巻線３１（１）および第２の巻線３１（２）は並列に接続され、第３の巻線３２を構成する第３の巻線３２（１）および第３の巻線３２（２）は並列に接続される。更に、第２の巻線３１および第３の巻線３２は並列に接続される。


【手続補正１７】
【補正対象書類名】明細書
【補正対象項目名】００７７
【補正方法】変更
【補正の内容】
【００７７】
第２の巻線３１ａおよび第２の巻線３１ｂのそれぞれの長さ（Ｌ）と、第３の巻線３２ａおよび第３の巻線３２ｂの長さ（Ｌ）とは、それぞれ第１の巻線１２の長さ（Ｌ）に等しく構成される。


【手続補正１８】
【補正対象書類名】図面
【補正対象項目名】図３
【補正方法】変更
【補正の内容】
【図３】
1998229668.tif 000001
【手続補正１９】
【補正対象書類名】図面
【補正対象項目名】図４
【補正方法】変更
【補正の内容】
【図４】
1998229668.tif 000002
【手続補正２０】
【補正対象書類名】図面
【補正対象項目名】図６
【補正方法】変更
【補正の内容】
【図６】
1998229668.tif 000003
【手続補正２１】
【補正対象書類名】図面
【補正対象項目名】図８
【補正方法】変更
【補正の内容】
【図８】
1998229668.tif 000004
【手続補正２２】
【補正対象書類名】図面
【補正対象項目名】図９
【補正方法】変更
【補正の内容】
【図９】
1998229668.tif 000005
【手続補正２３】
【補正対象書類名】図面
【補正対象項目名】図１０
【補正方法】変更
【補正の内容】
【図１０】
1998229668.tif 000006